(57)【特許請求の範囲】
【請求項１】
３以上の映像信号のうち切り換える頻度が高い高頻度映像信号を予め指示させる指示受付部と、
３以上の上記映像信号の入力を受けた際に、所定の操作部からの選択指示に基づき当該映像信号から選択映像信号を選択すると共に、当該選択映像信号以外の全ての非選択映像信号を切り換えて対象映像信号として選択する際に上記高頻度映像信号を他の上記非選択映像信号よりも高い頻度で選択する選択部と、
上記選択映像信号の信号形式を判別する選択映像信号判別部と、
上記選択映像信号の信号形式を判別した結果に応じて、当該選択映像信号を所定の表示部に適した表示信号形式に変換し上記表示部へ供給する変換処理部と、
上記対象映像信号の信号形式を判別する対象映像信号判別部と、
上記対象映像信号における信号形式の判別結果を基に映像情報を生成し、全ての上記非選択映像信号について所定の記憶部にそれぞれ記憶させる情報生成部と、
上記操作部から上記選択映像信号と異なる他の映像信号に切り換える切換指示を受け付けた場合、当該他の映像信号に対応する上記映像情報を上記記憶部から読み出し、当該映像情報を基に上記変換処理部により当該他の映像信号を上記表示信号形式に変換させる切換制御部と
を有する映像信号変換装置。
【請求項２】
上記変換処理部は、
上記操作部から上記切換指示を受け付けた場合、上記選択映像信号に基づく表示用映像信号から所定の一時映像を表示する一時映像信号に切り換え、所定時間経過後に上記他の映像信号に基づく表示用映像信号に切り換えて上記表示部へ供給する
請求項１に記載の映像信号変換装置。
【請求項３】
３以上の映像信号の入力を受けた際に、所定の操作部からの選択指示に基づき当該映像信号から選択映像信号を選択し、当該選択映像信号の信号形式を判別し、その判別結果に応じて当該選択映像信号を所定の表示部に適した表示信号形式に変換し当該表示部へ供給する映像信号変換装置における映像信号変換方法であって、
上記映像信号のうち切り換える頻度が高い高頻度映像信号を予め指示させる指示受付ステップと、
上記選択映像信号以外の全ての非選択映像信号を順次切り替えて対象映像信号として選択する際に上記高頻度映像信号を他の上記非選択映像信号よりも高い頻度で選択する選択ステップと、
上記対象映像信号の信号形式を判別する判別ステップと、
上記対象映像信号における信号形式の判別結果を基に映像情報を生成し、全ての上記非選択映像信号について所定の記憶部にそれぞれ記憶させる情報生成ステップと、
上記操作部から上記選択映像信号と異なる他の映像信号に切り換える切換指示を受け付けた場合、当該他の映像信号に対応する上記映像情報を上記記憶部から読み出し、当該映像情報を基に当該他の映像信号を上記表示信号形式に変換させ上記表示部へ供給させる切換制御ステップと
を有する映像信号変換方法。
【請求項４】
３以上の映像信号のうち切り換える頻度が高い高頻度映像信号を予め指示させる指示受付部と、
３以上の上記映像信号の入力を受けた際に、所定の操作部からの選択指示に基づき当該映像信号から選択映像信号を選択すると共に、当該選択映像信号以外の全ての非選択映像信号を順次切り換えて対象映像信号として選択する際に上記高頻度映像信号を他の上記非選択映像信号よりも高い頻度で選択する選択部と、
上記選択映像信号の信号形式を判別する選択映像信号判別部と、
上記選択映像信号の信号形式を判別した結果に応じて、当該選択映像信号を所定の表示信号形式に変換し表示映像信号とする変換処理部と、
上記表示映像信号に基づいた映像を表示する表示部と、
上記対象映像信号の信号形式を判別する対象映像信号判別部と、
上記対象映像信号における信号形式の判別結果を基に映像情報を生成し、全ての上記非選択映像信号について所定の記憶部にそれぞれ記憶させる情報生成部と、
上記操作部から上記選択映像信号と異なる他の映像信号に切り換える切換指示を受け付けた場合、当該他の映像信号に対応する上記映像情報を上記記憶部から読み出し、当該映像情報を基に上記変換処理部により当該他の映像信号を上記表示信号形式に変換させる切換制御部と
を有する映像表示装置。
【発明の詳細な説明】
【技術分野】
【０００１】
本発明は映像信号変換装置及び映像信号変換方法並びに映像表示装置に関し、例えばテレビジョン装置に適用して好適なものである。
【背景技術】
【０００２】
従来、テレビジョン装置においては、搭載するテレビジョン放送受信回路によりテレビジョン放送波を受信し、テレビジョン番組の映像を表示ディスプレイに表示するようになされたものが広く普及している。
【０００３】
またかかるテレビジョン装置は、一般に、外部から映像信号を入力するための入力端子を複数有しており、当該入力端子を介してＤＶＤ（Digital Versatile Disc）レコーダやゲーム機等の外部の映像機器から映像信号の供給を受け、その映像を表示ディスプレイに表示し得るようにもなされている。
【０００４】
特に近年では、映像信号の種類が多様化しており、例えば画面のアスペクト比については、アナログテレビジョン放送等の映像信号では４：３であるが、ディジタルテレビジョン放送等の映像信号では１６：９となっている。さらにディジタルテレビジョン放送では、４８０ｐ（Progressive）、７２０ｐ、１０８０ｉ（Interlace）等のように、解像度等が異なる複数の方式でテレビジョン放送番組が放送されている。
【０００５】
一方、テレビジョン装置のなかには、いわゆるマルチスキャンが可能なＣＲＴ（Cathode Ray Tube）等と異なり、液晶パネルやプラズマディスプレイパネル等のように表示画素が固定された表示部を有するものがある。かかるテレビジョン装置では、表示部を構成する各画素を適切に駆動させる必要があるため、当該表示部の画素数等（すなわちフォーマット）に応じた形式でなる表示映像信号を当該表示部へ供給する必要がある。
【０００６】
そこで、入力される映像信号の種類を判別し、これを表示部に適した映像信号に変換することにより、種々の方式でなる映像信号の映像を表示し得るようになされた映像表示装置が提案されている（例えば、特許文献１参照）。
【特許文献１】特開２０００−３３８９２５公報（第１図）
【発明の開示】
【発明が解決しようとする課題】
【０００７】
ところで、かかる構成のテレビジョン装置は、映像信号の種類の判断を誤った場合、映像を乱れた状態で表示し、或いは当該映像を全く表示できなくなる。このためテレビジョン装置は、映像信号に基づいた映像を正しく表示するべく、当該映像信号の種類を精度良く判別することが望ましい。
【０００８】
しかしながらテレビジョン装置は、高精度な判別処理を行うにはどうしても時間を要してしまうため、ユーザの操作等に応じて入力端子を切り換えた際に、切換後の映像信号の映像を表示するまでユーザを待たせてしまうという問題があった。
【０００９】
本発明は以上の点を考慮してなされたもので、入力される映像信号を切り換えた際に直ちに変換処理を開始し得る映像信号変換装置及び映像信号変換方法、並びに入力される映像信号を切り換えた際に直ちに映像を表示し得る映像表示装置を提案しようとするものである。
【課題を解決するための手段】
【００１０】
かかる課題を解決するため本発明の映像信号変換装置においては、３以上の映像信号のうち切り換える頻度が高い高頻度映像信号を予め指示させる指示受付部と、３以上の映像信号の入力を受けた際に、所定の操作部からの選択指示に基づき当該映像信号から選択映像信号を選択すると共に、当該選択映像信号以外の全ての非選択映像信号を順次切り換えて対象映像信号として選択する際に高頻度映像信号を他の非選択映像信号よりも高い頻度で選択する選択部と、選択映像信号の信号形式を判別する選択映像信号判別部と、選択映像信号の信号形式を判別した結果に応じて、当該選択映像信号を所定の表示部に適した表示信号形式に変換し表示部へ供給する変換処理部と、対象映像信号の信号形式を判別する対象映像信号判別部と、対象映像信号における信号形式の判別結果を基に映像情報を生成し、全ての非選択映像信号について所定の記憶部にそれぞれ記憶させる情報生成部と、操作部から選択映像信号と異なる他の映像信号に切り換える切換指示を受け付けた場合、当該他の映像信号に対応する映像情報を記憶部から読み出し、当該映像情報を基に変換処理部により当該他の映像信号を表示信号形式に変換させる切換制御部とを設けるようにした。
【００１１】
これにより、他のいずれの映像信号に切り換える切換指示を受け付けた場合であっても、改めて判別処理を行うことなく、記憶部に記憶している映像情報を用いて映像信号の変換処理を直ちに開始することができ、特に高頻度映像信号については信号形式の変化にも直ちに追従することができる。
【００１２】
また本発明の映像信号変換方法においては、３以上の映像信号の入力を受けた際に、所定の操作部からの選択指示に基づき当該映像信号から選択映像信号を選択し、当該選択映像信号の信号形式を判別し、その判別結果に応じて当該選択映像信号を所定の表示部に適した表示信号形式に変換し当該表示部へ供給する映像信号変換装置における映像信号変換方法であって、映像信号のうち切り換える頻度が高い高頻度映像信号を予め指示させる指示受付ステップと、選択映像信号以外の全ての非選択映像信号を順次切り替えて対象映像信号として選択する際に高頻度映像信号を他の非選択映像信号よりも高い頻度で選択する選択ステップと、対象映像信号の信号形式を判別する判別ステップと、対象映像信号における信号形式の判別結果を基に映像情報を生成し、全ての非選択映像信号について所定の記憶部にそれぞれ記憶させる情報生成ステップと、操作部から選択映像信号と異なる他の映像信号に切り換える切換指示を受け付けた場合、当該他の映像信号に対応する映像情報を記憶部から読み出し、当該映像情報を基に当該他の映像信号を表示信号形式に変換させ表示部へ供給させる切換制御ステップとを設けるようにした。
【００１３】
これにより、他のいずれの映像信号に切り換える切換指示を受け付けた場合であっても、改めて判別処理を行うことなく、記憶部に記憶している映像情報を用いて映像信号の変換処理を開始することができ、特に高頻度映像信号については信号形式の変化にも直ちに追従することができる。
【００１４】
さらに本発明の映像表示装置においては、３以上の映像信号のうち切り換える頻度が高い高頻度映像信号を予め指示させる指示受付部と、３以上の映像信号の入力を受けた際に、所定の操作部からの選択指示に基づき当該映像信号から選択映像信号を選択すると共に、当該選択映像信号以外の全ての非選択映像信号を順次切り換えて対象映像信号として選択する際に高頻度映像信号を他の非選択映像信号よりも高い頻度で選択する選択部と、選択映像信号の信号形式を判別する選択映像信号判別部と、選択映像信号の信号形式を判別した結果に応じて、当該選択映像信号を所定の表示信号形式に変換し表示映像信号とする変換処理部と、表示映像信号に基づいた映像を表示する表示部と、対象映像信号の信号形式を判別する対象映像信号判別部と、対象映像信号における信号形式の判別結果を基に映像情報を生成し、全ての非選択映像信号について所定の記憶部にそれぞれ記憶させる情報生成部と、操作部から選択映像信号と異なる他の映像信号に切り換える切換指示を受け付けた場合、当該他の映像信号に対応する映像情報を記憶部から読み出し、当該映像情報を基に変換処理部により当該他の映像信号を表示信号形式に変換させる切換制御部とを設けるようにした。
【００１５】
これにより、他のいずれの映像信号に切り換える切換指示を受け付けた場合であっても、改めて判別処理を行うことなく、記憶部に記憶している映像情報を用いて映像信号の変換処理を開始することができ、特に高頻度映像信号については信号形式の変化にも直ちに追従することができる。
【発明の効果】
【００１６】
本発明によれば、他のいずれの映像信号に切り換える切換指示を受け付けた場合であっても、改めて判別処理を行うことなく、記憶部に記憶している映像情報を用いて映像信号の変換処理を開始することができ、特に高頻度映像信号については信号形式の変化にも直ちに追従することができる。かくして本発明は、入力される映像信号を切り換えた際に直ちに変換処理を開始し得る映像信号変換装置及び映像信号変換方法、並びに入力される映像信号を切り換えた際に直ちに映像を表示し得る映像表示装置を実現できる。
【発明を実施するための最良の形態】
【００１７】
以下、図面について、本発明の一実施の形態を詳述する。
【００１８】
（１）テレビジョン装置の回路構成
図１において、テレビジョン装置１は、テレビジョン放送波を受信して得られる映像信号や外部から入力される映像信号に基づいた映像をディスプレイ部７に表示し得るようになされている。
【００１９】
制御部２は、テレビジョン装置１全体を統括制御するようになされており、各種プログラムの実行や各種演算処理等を行うＣＰＵ（Central Processing Unit）１０を中心に構成され、各種データを記憶する記憶部１１及び他の回路との間で制御命令やデータ等の送受信を行うＩ／Ｏ（Input/Output）ポート１２を有している。
【００２０】
操作部３は、図示しない操作ボタンや図示しないリモートコントローラを介したユーザからの操作指示を受け付け、当該操作指示に基づいた操作信号を制御部２へ供給する。このとき制御部２は、当該操作信号に応じて各種処理を行うようになされている。
【００２１】
受信処理部４は、操作部３を介してユーザに指示された放送チャンネルのテレビジョン放送波を受信し所定の復調処理等を行うことにより映像信号Ｖ０を生成し、これを入力スイッチ５へ供給する。以下の説明では、当該受信処理部４を一つの入力端子Ｐとして扱い、特に入力端子Ｐ０とも呼ぶ。
【００２２】
入力端子Ｐ１、Ｐ２、Ｐ３及びＰ４は、外部から映像信号の供給を受け、それぞれ映像信号Ｖ１、Ｖ２、Ｖ３及びＶ４として入力スイッチ４へ中継するようになされている。実際上、入力端子Ｐ１、Ｐ２、Ｐ３及びＰ４は、ＤＶＤレコーダやゲーム装置等でなる外部機器Ｄ１、Ｄ２、Ｄ３及びＤ４とそれぞれ接続されている。
【００２３】
入力スイッチ５は、制御部２の制御に基づき、入力端子Ｐ０、Ｐ１、Ｐ２、Ｐ３又はＰ４のいずれかを選択し（以下、ここで選択された入力端子を選択入力端子ＰＳと呼ぶ）、当該選択入力端子ＰＳから供給される映像信号Ｖ（すなわち映像信号Ｖ０、Ｖ１、Ｖ２、Ｖ３又はＶ４のいずれか）を選択映像信号ＶＳとして、これをスケーラ６へ供給するようになされている。
【００２４】
スケーラ６は、映像信号を一時的に記憶するためのメモリ領域を複数有しており、選択映像信号ＶＳを選択映像用メモリ領域６Ｓに一時記憶する。またスケーラ６は、選択映像用メモリ領域６Ｓに記憶した選択映像信号ＶＳについて、その種類を判別する映像判別処理を行うようになされている。
【００２５】
例えばスケーラ６は、選択映像信号ＶＳの信号形式について、当該選択映像信号ＶＳの周波数又は当該選択映像信号ＶＳに含まれるＩＤ（Identifier）信号等を基に、映像信号の有無、インターレース又はプログレッシブのいずれであるか、走査線の数による解像度（４８０ｉ、４８０ｐ、１０８０ｉ、７２０ｐ又は１０８０ｐ）を判別し、ワイド信号情報を基に画面のアスペクト比が４：３、１６：９スクイーズ又は１６：９レターボックス等のいずれであるかを判別し、テレビジョンシステム、すなわちコンポジットビデオ信号の場合におけるカラーシステム（ＮＴＳＣ、ＰＡＬ（Phase Alternation by Line）又はＳＥＣＡＭ（Sequential Couleure A Memoire））を判別し、動画又は静止画のいずれであるかを判別し、またＣＣ（Closed Caption）の有無、Ｉｎｆｏ  Ｂａｎｎｅｒの有無、ＴＥＬＥＴＥＸＴの有無等を判別し、このときの判別結果を表す選択映像情報ＩＦＳを生成する（以下、これを選択映像判別処理と呼ぶ）。
【００２６】
因みにスケーラ６は、この映像判別処理を高精度に行うべく、当該映像判別処理の終了までに比較的長い時間（例えば２〜３秒）をかけることになる。
【００２７】
続いてスケーラ６は、選択映像情報ＩＦＳを基に、選択映像信号ＶＳをディスプレイ部７に適した表示映像信号ＶＥに変換し、これを当該ディスプレイ部７へ供給する。
【００２８】
ディスプレイ部７は、例えば液晶パネル及び当該液晶パネルを駆動する駆動回路等（いずれも図示せず）により構成されており、当該駆動回路により表示映像信号ＶＥに基づいた駆動信号を生成して液晶パネルへ供給することにより、当該表示映像信号ＶＥを表す映像を当該液晶パネルに表示するようになされている。
【００２９】
因みにディスプレイ部７は、液晶パネル及びその駆動回路等に限らず、例えばプラズマディスプレイパネル及びその駆動回路、ＦＥＤ（Field Emission Display、電界放出ディスプレイ）パネル及びその駆動回路等の種々の方式であっても良い。
【００３０】
かかる構成に加えて制御部２は、入力スイッチ５を制御することにより、選択入力端子ＰＳ以外のいずれか１つの入力端子Ｐを対象入力端子ＰＴとし、当該対象入力端子ＰＴからの映像信号Ｖを対象映像信号ＶＴとしてスケーラ６へ供給させる。
【００３１】
スケーラ６は、制御部２の制御に基づき、対象映像信号ＶＴに対し選択映像信号ＶＳの場合と同様の映像判別処理を行うことにより対象映像情報ＩＦＴを生成し、これを制御部２へ供給する。
【００３２】
制御部２は、Ｉ／Ｏポート１３を介して対象映像情報ＩＦＴを取得し、これを入力端子Ｐｎ（ｎは０〜４の整数）とそれぞれ対応付けた映像情報ＩＦｎとして記憶部１１内に記憶させるようになされている（以下、一連の処理を対象映像判別処理と呼ぶ）。例えば制御部２は、このときの対象入力端子ＰＴが入力端子Ｐ１であれば、対象映像情報ＩＦＴを映像情報ＩＦ１として記憶部１１に記憶させる。
【００３３】
さらに制御部２は、対象入力端子ＰＴとする入力端子Ｐを順次切り換えながら対象映像判別処理を繰り返すことにより、選択入力端子ＰＳ以外の各入力端子Ｐから供給される映像信号Ｖを監視し、記憶部１１の各映像情報ＩＦを随時更新するようになされている。
【００３４】
すなわち制御部２は、選択映像信号ＶＳ以外の映像信号Ｖ（以下、これを非選択映像信号ＶＬと呼ぶ）について順次映像判別処理を行うことにより映像情報ＩＦを生成し、これを記憶部１１に記憶し又は更新するようになされている。
【００３５】
ところで制御部２は、操作部３を介したユーザの操作により、ディスプレイ部７に映像として表示すべき映像信号Ｖを切り換える、すなわち他の入力端子Ｐを選択する入力切換操作を受け付けた場合、当該選択された入力端子Ｐから供給される映像信号Ｖの映像をディスプレイ部７に表示させるようになされている。
【００３６】
この場合、制御部２は、入力スイッチ５により、新たな選択入力端子ＰＳから供給される映像信号Ｖを新たな選択映像信号ＶＳとしてスケーラ６へ供給させる。
【００３７】
ここで制御部２は、スケーラ６により新たな選択映像信号ＶＳに対して映像判別処理を行わせるのではなく、新たな選択映像信号ＶＳに対応した映像情報ＩＦを記憶部１１から読み出し、これをスケーラ６へ供給する。スケーラ６は、制御部２から供給された映像情報ＩＦを用いて当該新たな選択映像信号ＶＳを表示映像信号ＶＥに変換し、ディスプレイ部７へ供給する。
【００３８】
このとき制御部２は、スケーラ６による新たな選択映像信号ＶＳについての映像判別処理の完了を待つ必要がないため、当該新たな選択映像信号ＶＳから表示映像信号ＶＥへの変換処理を直ちに開始させることができる。
【００３９】
ここで、テレビジョン装置１における各機能をブロック化すると、図２に示すような機能ブロック図として表すことができる。
【００４０】
すなわちテレビジョン装置１（図１）と対応する映像信号変換装置２０は、操作部３（図１）と対応する受付部２１により、外部から入力される２系統以上の映像信号Ｖのうちディスプレイ部７（図１）と対応する表示部２５に映像として表示するべき選択映像信号ＶＳの選択指示を受け付け、これを選択部２２へ供給する。
【００４１】
選択部２２は、入力スイッチ５（図１）と対応しており、受付部２１から選択指示を受け付けると、当該選択指示に応じた映像信号を選択映像信号ＶＳとし、これをスケーラ６と対応する選択映像信号判別部２３及び変換処理部２４へそれぞれ供給する。
【００４２】
選択映像信号判別部２３は、選択映像信号ＶＳの信号形式を判別し、その結果を変換処理部２４へ供給する。変換処理部２４は、選択映像信号ＶＳの判別結果に応じて、当該選択映像信号ＶＳを表示部２５に適した表示映像信号ＶＥに変換し、これを表示部２５へ供給することにより映像として表示させる。
【００４３】
対象映像信号判別部２６は、スケーラ６と対応しており、非選択映像信号ＶＬのうち１系統の映像信号Ｖを対象映像信号ＶＴとして順次切り換えながら、当該映像信号Ｖの信号形式を判別し、その判別結果を情報生成部２７へ供給する。
【００４４】
情報生成部２７、記憶部２８及び切換制御部２９は、制御部２と対応している。情報生成部２７は、対象映像信号判別部２６から供給される判別結果を基に、映像信号Ｖごとに映像情報ＩＦを生成して、これを記憶部２８に記憶させる。
【００４５】
一方、受付部２１は、選択映像信号ＶＳを他の映像信号Ｖに切り換える切換指示を受け付けた場合、これを選択部２２及び切換制御部２９へ供給する。
【００４６】
選択部２２は、切換指示に基づき他の映像信号Ｖを新たな選択映像信号ＶＳとして選択し、これを変換処理部２４へ供給する。切換制御部２９は、切換指示が供給されると、他の映像信号Ｖに対応する映像情報ＩＦを記憶部２８から読み出し、変換処理部２４により当該映像情報ＩＦを基に新たな選択映像信号ＶＳを表示映像信号ＶＥに変換させる。
【００４７】
このようにテレビジョン装置１の制御部２は、選択入力端子ＰＳ以外の各入力端子Ｐについて、随時最新の映像情報ＩＦを記憶部１１に記憶させるようになされている。これによりテレビジョン装置１は、ユーザから入力切換操作を受け付けた際、新たな選択映像信号ＶＳに対する変換処理を直ちに開始することができるので、当該新たな選択映像信号ＶＳに基づいた映像を直ちにディスプレイ部７に表示することができる。
【００４８】
（２）映像情報の生成及び映像信号の切換
（２−１）映像情報生成処理
次に、テレビジョン装置１における映像情報ＩＦの生成処理について、図３のフローチャートを用いて説明する。
【００４９】
テレビジョン装置１の制御部２は、ユーザの操作等によりテレビジョン装置１の電源が投入されると、映像情報生成処理手順ＲＴ１を開始し、ステップＳＰ１へ移る。ステップＳＰ１において制御部２は、選択入力端子ＰＳ以外のいずれか１つの入力端子Ｐを対象入力端子ＰＴとし、当該対象入力端子ＰＴからの映像信号Ｖを対象映像信号ＶＴとしてスケーラ６へ供給させ、次のステップＳＰ２へ移る。
【００５０】
ステップＳＰ２において制御部２は、スケーラ６により対象映像信号ＶＴに対する映像判別処理を開始させ、次のステップＳＰ３へ移る。
【００５１】
ステップＳＰ３において制御部２は、スケーラ６における対象映像信号ＶＴに対する映像判別処理の結果を確認し、次のステップＳＰ４へ移る。
【００５２】
ステップＳＰ４において制御部２は、映像判別処理が完了しているか否かを判別する。ここで否定結果が得られると、制御部２は、ステップＳＰ５へ移り所定時間（例えば１００［ｍｓ］）待機した後、再度ステップＳＰ３へ戻ることにより、当該対象映像信号ＶＴに対する映像判別処理の完了を待ち受ける。
【００５３】
一方、ステップＳＰ４において肯定結果が得られると、制御部２は次のステップＳＰ６へ移る。ステップＳＰ６において制御部２は、スケーラ６から対象映像信号ＶＴに対する映像判別処理の結果を表す対象映像情報ＩＦＴを取得し、これをこのときの対象入力端子ＰＴとして選択されている入力端子Ｐｎと対応付け映像情報ＩＦｎとして記憶部１１に記憶させ、次のステップＳＰ７へ移る。
【００５４】
ステップＳＰ７において制御部２は、ユーザの操作によりテレビジョン装置１の電源が切断されたか否かを判定する。ここで否定結果が得られると、このことはテレビジョン装置１が継続して視聴されるため、各映像信号ＩＦｎを随時更新するべく、再度ステップＳＰ１へ戻って一連の処理を繰り返す。因みに制御部２は、ステップＳＰ１において、例えば入力端子Ｐ２、Ｐ３及びＰ４の順となるように、前回の処理における対象入力端子ＰＴと異なる入力端子Ｐを新たな対象入力端子ＰＴとするようになされている。
【００５５】
一方、ステップＳＰ７において肯定結果が得られると、このことは各映像信号ＩＦｎを更新する必要が無くなったことを表しており、このとき制御部２は次のステップＳＰ８へ移って映像情報生成処理手順ＲＴ１を終了する。
【００５６】
（２−２）映像信号切換処理
次に、テレビジョン装置１において選択映像信号ＶＳが切り換えられたときの切換処理について、図４のフローチャートを用いて説明する。
【００５７】
テレビジョン装置１の制御部２は、操作部３を介してユーザの操作等により選択映像信号ＶＳを切り換える入力切換操作を受け付けると、映像信号切換処理手順ＲＴ２を開始してステップＳＰ１１へ移る。ステップＳＰ１１において制御部２は、入力切換操作を解析することにより新たに選択すべき入力端子Ｐを認識し、次のステップＳＰ１２へ移る。
【００５８】
ステップＳＰ１２において制御部２は、スケーラ６により、画面に映像を表示させないための消画信号に基づく表示映像信号ＶＥをディスプレイ部７へ供給させることにより、一時的に選択映像信号ＶＳに基づいた映像を表示させないようにし、次のステップＳＰ１３へ移る。
【００５９】
ステップＳＰ１３において制御部２は、新たに選択すべき入力端子Ｐに対応した映像情報ＩＦを記憶部１１から読み出し、次のステップＳＰ１４へ移る。
【００６０】
ステップＳＰ１４において制御部２は、記憶部１１から読み出した映像情報ＩＦを基に、スケーラ６に対し新たな選択映像信号ＶＳを表示映像信号ＶＥに変換するための設定を行い、次のステップＳＰ１５へ移る。
【００６１】
因みに制御部２は、ステップＳＰ１４において、例えば映像信号周波数における画像の水平・垂直方向の画素数、ワイド信号情報による画像の水平位置及び垂直位置並びに非線形処理の係数、テレビジョンシステムにおける色分離の状態（コンポジット、Ｙ／Ｃ分離又はＹ／Ｃｂ／Ｃｒ分離等）及びｃｏｍｂフィルタの設定、動的にエッジを効かせるか否か等の映像状態判定、及びＣＣ、Ｉｎｆｏ  Ｂａｎｎｅｒ、ＴＥＬＥＴＥＸＴの有無等に関する設定を行う。
【００６２】
ステップＳＰ１５において制御部２は、音声処理回路（図示せず）等の各種回路に対し、選択入力端子ＰＳの切換に応じて必要な各種の設定を行い、次のステップＳＰ１６へ移る。
【００６３】
ステップＳＰ１６において制御部２は、スケーラ６により、新たな選択映像信号ＶＳを表示映像信号ＶＥに変換することにより、当該新たな選択映像信号ＶＳに基づく映像をディスプレイ部７に表示させ、次のステップＳＰ１７へ移って映像信号切換処理手順ＲＴ２を終了する。
【００６４】
（３）動作及び効果
以上の構成において、テレビジョン装置１の制御部２は、操作部３を介してユーザに選択された選択入力端子ＰＳからの選択映像信号ＶＳについて、スケーラ６により、映像判別処理を行いその信号形式に応じた変換処理を行うことにより表示映像信号ＶＥを生成させ、これをディスプレイ部７へ供給させ当該表示映像信号ＶＥに基づいた映像を表示させる。
【００６５】
また制御部２は、かかる処理と並行して、選択入力端子ＰＳ以外の各入力端子Ｐを順次対象入力端子ＰＴとし、その映像信号Ｖを対象映像信号ＶＴとして入力スイッチ５からスケーラ６へ供給させる。制御部２は、スケーラ６により対象映像信号ＶＴの信号形式を判別させ、その判別結果を基に対象映像情報ＩＦＴを生成させ、これを入力端子Ｐと対応付けて記憶部１１に記憶させる。
【００６６】
その後制御部２は、操作部３を介して入力切換操作を受け付けた際、新たな選択映像信号ＶＳについて判別処理を行うことなく、当該新たな選択入力端子ＰＳに対応する映像情報ＩＦを記憶部１１から読み出し、当該映像情報ＩＦを基に新たな選択映像信号ＶＳから表示映像信号ＶＥへの変換処理を開始する。
【００６７】
従ってテレビジョン装置１の制御部２は、入力切換操作を受け付けた際、映像判別処理の終了を待つ必要なく、表示映像信号ＶＥへの変換処理を直ちに開始することができるので、新たな選択映像信号ＶＳに基づいた映像をディスプレイ部７に直ちに表示させることができる。
【００６８】
これにより制御部２は、ユーザにより入力切換操作が行われてから実際にディスプレイ部７に映像が表示されるまでの応答時間を極めて短時間に抑えることができるので、当該ユーザに対し映像の表示を待たせることによる不快感を与えずに済む。
【００６９】
さらに制御部２は、選択入力端子ＰＳ以外の全ての入力端子Ｐについて、それぞれ映像情報ＩＦを記憶部１１に記憶させているため、ユーザの操作によりいずれの入力端子Ｐに切り換えられた場合であっても、新たな選択映像信号ＶＳから表示映像信号ＶＥへの変換処理を直ちに開始することができる。
【００７０】
そのうえ制御部２は、各映像情報ＩＦを随時更新しているため、例えばユーザが映像機器Ｄ１〜Ｄ４を繋ぎ替えたとしても、繋ぎ替えた後に入力される映像信号Ｖについての映像情報ＩＦを直ちに取得して記憶部１１に記憶することができ、当該繋ぎ替えた後の映像信号Ｖを正しく表示映像信号ＶＥに変換できる。
【００７１】
また制御部２は、選択映像信号ＶＳを切り換える際、消画信号に基づく映像をディスプレイ部７に表示させることにより、選択映像信号ＶＳの切換により乱れた映像を表示せずに済むため、ユーザに不快感を与えずに済む。
【００７２】
以上の構成によれば、テレビジョン装置１の制御部２は、ユーザに選択された選択入力端子ＰＳから供給される選択映像信号ＶＳをスケーラ６によってその信号形式に応じた変換処理を行わせ表示映像信号ＶＥに変換させることにより、当該選択映像信号ＶＳに基づいた映像をディスプレイ部７に表示させると共に、入力スイッチ５に入力される選択映像信号ＶＳ以外の各映像信号Ｖを順次対象映像信号ＶＴとしてスケーラ６により信号形式を判別させ、その判別結果を映像情報ＩＦとし入力端子Ｐと対応付けて記憶部１１に記憶させておき、ユーザから入力切換操作を受け付けた際、新たな選択入力端子ＰＳに対応する映像情報ＩＦを記憶部１１から読み出して当該映像情報ＩＦを基に新たな選択映像信号ＶＳから表示映像信号ＶＥへの変換処理を開始することにより、新たな選択映像信号ＶＳに基づいた映像をディスプレイ部７に直ちに表示させることができる。
【００７３】
（４）他の実施の形態
なお上述した実施の形態においては、テレビジョン装置１が４系統の入力端子Ｐ１〜Ｐ４を有するようにした場合について述べたが、本発明はこれに限らず、当該テレビジョン装置１が２系統以上の任意数の入力端子Ｐを有していれば良い。この場合、入力端子Ｐとしては、実際にテレビジョン装置１の外部に設けられた映像機器Ｄ１〜Ｄ４等から供給される映像信号Ｖを中継するものに限らず、例えば上述した実施の形態における受信処理部４（図１）のように、テレビジョン装置１の内部に設けられ映像信号を供給し得る回路等を１系統の入力端子Ｐとして扱うようにしても良い。
【００７４】
また上述した実施の形態においては、選択入力端子ＰＳ以外の全ての入力端子Ｐから供給される映像信号Ｖ、すなわち全ての非選択映像信号ＶＬについて順次映像判別処理を行い映像情報ＩＦの記憶及び更新を行うようにした場合について述べたが、本発明はこれに限らず、例えばユーザが使用意思のない一部の入力端子Ｐを映像判別処理の対象外として設定し得るようにし、非選択映像信号ＶＬのうちユーザに使用意思のある一部の映像信号Ｖについてのみ映像判別処理を行い、映像情報ＩＦの記憶及び更新を行うようにしても良い。
【００７５】
さらに上述した実施の形態においては、非選択映像信号ＶＬについて順次、すなわちほぼ均等な頻度で映像判別処理を行い映像情報ＩＦの記憶及び更新を行うようにした場合について述べたが、本発明はこれに限らず、例えばユーザから特定の入力端子Ｐの使用頻度が高いことが指示されている場合に、当該使用頻度が高い入力端子Ｐについて映像判別処理を行う頻度を高めるなどしても良い。
【００７６】
さらに上述した実施の形態においては、映像信号Ｖについて映像信号の有無、インターレース又はプログレッシブのいずれであるか、走査線の数による解像度、画面のアスペクト比、テレビジョンシステム、動画又は静止画、またＣＣ、Ｉｎｆｏ  Ｂａｎｎｅｒ、ＴＥＬＥＴＥＸＴの有無等を選択映像情報ＩＦＳ及び対象映像情報ＩＦＴとするようにした場合について述べたが、本発明はこれに限らず、当該映像信号Ｖを表示映像信号ＶＥに変換するために必要な種々の情報を選択映像情報ＩＦＳ及び対象映像情報ＩＦＴとするようにしても良い。
【００７７】
さらに上述した実施の形態においては、本発明をテレビジョン装置１に適用するようにした場合について述べたが、本発明はこれに限らず、例えばコンピュータ用のモニタ装置や映像信号切換器等、複数の映像信号の入力を受け、ユーザの操作等に基づき当該映像信号から出力すべき映像信号を選択する種々の電子機器に適用するようにしても良い。
【００７８】
さらに上述した実施の形態においては、選択部としての選択部２２と、選択映像信号判別部としての選択映像信号判別部２３と、変換処理部としての変換処理部２４と、対象映像信号判別部としての対象映像信号判別部２６と、情報生成部としての情報生成部２７と、切換制御部としての切換制御部２９とによって映像信号変換装置としての映像信号変換装置２０を構成する場合について述べたが、本発明はこれに限らず、その他種々の回路構成でなる選択部と、選択映像信号判別部と、変換処理部と、対象映像信号判別部と、情報生成部と、切換制御部とによって映像信号変換装置を構成するようにしても良い。
【産業上の利用可能性】
【００７９】
本発明は、例えば複数の映像信号を入力し切り換えて表示するテレビジョン装置でも利用できる。
【図面の簡単な説明】
【００８０】
【図１】テレビジョン装置の回路構成を示すブロック図である。
【図２】本発明の機能ブロック構成を示すブロック図である。
【図３】映像情報生成処理手順を示すフローチャートである。
【図４】映像信号切換処理手順を示すフローチャートである。
【符号の説明】
【００８１】
１……テレビジョン装置、２……制御部、３……操作部、５……入力スイッチ、６……スケーラ、６Ｓ……選択映像用メモリ領域、６Ｔ……対象映像用メモリ領域、７……ディスプレイ部、１０……ＣＰＵ、１１……記憶部、１２……Ｉ／Ｏポート、２０……映像信号変換装置、２１……受付部、２２……選択部、２３……選択映像信号判別部、２４……変換処理部、２５……表示部、２６……対象映像信号判別部、２７……情報生成部、２８……記憶部、２９……切換制御部、Ｐ１、Ｐ２、Ｐ３、Ｐ４……入力端子、ＰＳ……選択入力端子、ＰＴ……対象入力端子、Ｖ、Ｖ１、Ｖ２、Ｖ３、Ｖ４……映像信号、ＶＳ……選択映像信号、ＶＴ……対象映像信号、ＶＥ……表示映像信号、ＩＦ、ＩＦ１、ＩＦ２、ＩＦ３、ＩＦ４……映像情報、ＩＦＳ……選択映像情報、ＩＦＴ……対象映像情報。
【図１】
0005056211.tif 000002
【図２】
0005056211.tif 000003
【図３】
0005056211.tif 000004
【図４】
0005056211.tif 000005